(57)【特許請求の範囲】
【請求項１】
圧縮機（13）と、吸着剤を担持した第１熱交換器（11）と、吸着剤を担持した第２熱交換器（12）と、電子膨張弁（14）と、四路切換弁（15）とを含む冷媒回路（10）と、前記第１熱交換器（11）に流通させる空気と前記第２熱交換器（12）に流通させる空気とを互いに換える通気切換装置（20）とを備え、前記第１熱交換器（11）および前記第２熱交換器（12）の一方を凝縮器とし前記吸着剤の再生動作により加湿器として機能させるとともに他方を蒸発器とし前記吸着剤の吸着動作により除湿器として機能させ、前記四路切換弁（15）で前記冷媒回路（10）に流れる冷媒の流れを変更することにより両熱交換器の機能を交替させる調湿装置（1）において、
室外空気の温度と室内空気の温度とを比較していずれの空気の温度が高いかを判定し、
当該調湿装置（1）の始動時に、前記室外空気および前記室内空気のうち、温度の高い方の空気を、前記第１熱交換器（11）および前記第２熱交換器（12）のうち前記蒸発器として作用する熱交換器に流通させ、温度の低い方の空気を、前記第１熱交換器（11）および前記第２熱交換器（12）のうち前記凝縮器として作用する熱交換器に流通させる
ことを特徴とする調湿装置。
【請求項２】
請求項１に記載の調湿装置（1）において、
少なくとも加湿運転の時期および除湿運転の時期において当該調湿装置（1）を運転停止するとき、前記電子膨張弁（14）側の冷媒経路を連通状態にする
ことを特徴とする調湿装置。
【請求項３】
請求項１または２に記載の調湿装置（1）において、
当該調湿装置（1）内に、前記室内空気の温度を検出する第１温度センサ（31）と、前記室外空気の温度を検出する第２温度センサ（32）と、前記室内空気を当該調湿装置（1）に流入し室外に排出する排出ファン（92）と、前記室外空気を当該調湿装置（1）に流入し室内に供給する供給ファン（91）とが設けられ、
当該調湿装置（1）の始動時かつ前記圧縮機（13）の起動前に、前記排出ファン（92）を駆動することにより前記室内空気を流入させるとともに、前記供給ファン（91）を駆動することにより前記室外空気を流入させ、
前記室外空気の温度と前記室内空気の温度とを比較していずれの空気の温度が高いか否かについての判定を、前記第１温度センサ（31）の検出温度と前記第２温度センサ（32）の検出温度との間に差が生じたことに基づいて行う
ことを特徴とする調湿装置。
【請求項４】
請求項１〜３のいずれか一項に記載の調湿装置において、
当該調湿装置（1）の始動時に、前記室外空気の温度および前記室内空気の温度がともに設定温度よりも大きい場合、前記室外空気および前記室内空気のうち温度の高い空気を、前記蒸発器として機能する熱交換器に流通させる処理を実行しない
ことを特徴とする調湿装置。
【請求項５】
圧縮機（13）と、吸着剤を担持した第１熱交換器（11）と、吸着剤を担持した第２熱交換器（12）と、電子膨張弁（14）と、四路切換弁（15）とを含む冷媒回路（10）と、前記第１熱交換器（11）に流通させる空気と前記第２熱交換器（12）に流通させる空気とを互いに換える通気切換装置（20）とを備え、前記第１熱交換器（11）および前記第２熱交換器（12）の一方を凝縮器とし前記吸着剤の再生動作により加湿器として機能させるとともに他方を蒸発器とし前記吸着剤の吸着動作により除湿器として機能させ、前記四路切換弁（15）で前記冷媒回路（10）に流れる冷媒の流れを変更することにより両熱交換器の機能を交替させる調湿装置（1）において、
当該調湿装置（1）の始動時に、
前記蒸発器および前記凝縮器の一方に室外空気を流入するとともに他方に室内空気を流入し、かつ前記室外空気の温度と前記室内空気の温度とを比較していずれの空気の温度が高いかを判定し、
前記圧縮機（13）の起動時に、前記四路切換弁（15）を切り換えることにより、前記第１熱交換器（11）および前記第２熱交換器（12）のうち温度の高い空気が流通している熱交換器を前記蒸発器として機能させる
ことを特徴とする調湿装置。
【発明の詳細な説明】
【技術分野】
【０００１】
本発明は、吸着剤を担持した２つの熱交換器を含む調湿装置に関する。
【背景技術】
【０００２】
上記調湿装置として、特許文献１に記載の技術が知られている。
調湿装置は２つの熱交換器を備えている。これら熱交換器には、所定温度以下で水を吸収する吸着動作を行い、所定温度を超えると水を放出して再生動作する吸着剤が付けられている。そして、室外空気を一方の熱交換器に通して室内に流入するとともに、室内空気を他方の熱交換器に通して室外に排出する。各熱交換器は、蒸発器として作用するとき所定温度以下となるので吸着動作し除湿機能を発揮する。また、各熱交換器は、凝縮器として作用するとき所定温度以上となるので再生動作し加湿機能を発揮する。したがって、室内を加湿するときは、室外空気を凝縮器として作用する熱交換器に通過させて加湿して室内に供給する。室内を除湿するときは、室外空気を蒸発器として作用する熱交換器に通過させて除湿して室内に供給する。
【先行技術文献】
【特許文献】
【０００３】
【特許文献１】特開２０１０−１４５０２４号公報
【発明の概要】
【発明が解決しようとする課題】
【０００４】
ところで、調湿装置を始動するとき、室外空気の温度および室内空気の温度を測定するためにファンを駆動して室外空気および室内空気を調湿装置に流入させる。このとき、蒸発器に通過する空気の温度が過度に低いとき、蒸発器内の蒸発冷媒が液化する冷媒量が多くなる。このような状況下で圧縮機を起動すると、圧縮機へ吸入される液冷媒量が過剰となり、アキュムレータで完全に気液分離することが難しくなり、この結果、圧縮機への液冷媒の戻りが生じる。このようなことから、調湿装置の始動時に生じる液冷媒の戻りを抑制することが要求されている。
【０００５】
本発明はこのような実情に鑑みてなされたものであり、その目的は、調湿装置の始動時に生じる液冷媒戻りを抑制することができる調湿装置を提供することにある。
【課題を解決するための手段】
【０００６】
請求項１に記載の発明は、圧縮機（13）と、吸着剤を担持した第１熱交換器（11）と、吸着剤を担持した第２熱交換器（12）と、電子膨張弁（14）と、四路切換弁（15）とを含む冷媒回路（10）と、前記第１熱交換器（11）に流通させる空気と前記第２熱交換器（12）に流通させる空気とを互いに換える通気切換装置（20）とを備え、前記第１熱交換器（11）および前記第２熱交換器（12）の一方を凝縮器とし前記吸着剤の再生動作により加湿器として機能させるとともに他方を蒸発器とし前記吸着剤の吸着動作により除湿器として機能させ、前記四路切換弁（15）で前記冷媒回路（10）に流れる冷媒の流れを変更することにより両熱交換器の機能を交替させる調湿装置（1）において、室外空気の温度と室内空気の温度とを比較していずれの空気の温度が高いかを判定し、当該調湿装置（1）の始動時に、前記室外空気および前記室内空気のうち、温度の高い方の空気を、前記第１熱交換器（11）および前記第２熱交換器（12）のうち前記蒸発器として作用する熱交換器に流通させ、温度の低い方の空気を、前記第１熱交換器（11）および前記第２熱交換器（12）のうち前記凝縮器として作用する熱交換器に流通させることを要旨としている。
【０００７】
この発明によれば、調湿装置（1）に流入される室外空気および室内空気のうちで温度の高い空気を蒸発器に導くことにより、蒸発器が過度に冷却されることに起因して蒸発器内で冷媒液化が過度に促進されることが抑制される。これにより圧縮機（13）への液冷媒の戻りを抑制することができる。
【０００８】
請求項２に記載の発明は、請求項１に記載の調湿装置（1）において、少なくとも加湿運転の時期および除湿運転の時期であって当該調湿装置（1）を運転停止するとき、前記電子膨張弁（14）側の冷媒経路を連通状態にすることを要旨としている。
【０００９】
ここで、前記電子膨張弁（14）側の冷媒経路とは、第１熱交換器（11）と第２熱交換器（12）とを接続する冷媒経路のうち、電子膨張弁（14）が取り付けられている冷媒経路を示す。
【００１０】
調湿装置（1）が運転を停止したとき、冷媒回路内の高低圧間の均圧作用のため、高圧側の冷媒が低圧側に流れる。調湿装置（1）の運転停止期間中、電子膨張弁（14）の開度を閉鎖開度にして冷媒経路を閉鎖する場合、電子膨張弁を通じて流動する冷媒量が少なくなるため、圧縮機を通じて移動する冷媒量が多くなる。この結果、圧縮機内の潤滑油が冷媒とともに蒸発器へ移動し、圧縮機内の潤滑油が減少するという問題が生じる。
【００１１】
本発明では、少なくとも加湿運転の時期および除湿運転の時期において、調湿装置（1）が運転停止するとき、電子膨張弁（14）側の冷媒経路を連通状態にする。このため、調湿装置（1）の運転停止期間中、電子膨張弁（14）側の通路を通じて冷媒を移動させることができる。これにより、圧縮機（13）に吸入される冷媒量を少なくすることができる。
【００１２】
請求項３に記載の発明は、請求項１または２に記載の調湿装置（1）において、当該調湿装置（1）内に、前記室内空気の温度を検出する第１温度センサ（31）と、前記室外空気の温度を検出する第２温度センサ（32）と、前記室内空気を当該調湿装置（1）に流入し室外に排出する排出ファン（92）と、前記室外空気を当該調湿装置（1）に流入し室内に供給する供給ファン（91）とが設けられ、当該調湿装置（1）の始動時かつ前記圧縮機（13）の起動前に、前記排出ファン（92）を駆動することにより前記室内空気を流入させるとともに、前記供給ファン（91）を駆動することにより前記室外空気を流入させ、前記室外空気の温度と前記室内空気の温度とを比較していずれの空気の温度が高いか否かについての判定を、前記第１温度センサ（31）の検出温度と前記第２温度センサ（32）の検出温度との間に差が生じたことに基づいて行うことを要旨としている。
【００１３】
室外空気の温度および室内空気の温度を測定するとき、室外空気および室内空気が調湿装置（1）に導かれる。このような構成の場合、室外空気および室内空気のうち温度が高い空気はいずれかについて判定されない状態で、室外空気および室内空気のいずれか一方が蒸発器に導かれる。一方、室外空気および室内空気の温度が精確に測定されるまでには相当の時間を要する。仮に温度の低い空気が蒸発器に流通しているとすれば、この期間中に蒸発器が過度に冷却するおそれがある。
【００１４】
これに対し、本発明では、第１温度センサ（31）の検出温度と第２温度センサ（32）の検出温度との間の差に基づいて温度の高い空気を判定する。すなわち、室外空気および室内空気の温度が精確に測定される前に、両空気のうち温度が高い空気はいずれかについて判定する。このため、室外空気および室内空気のうち温度が高い空気はいずれかついて判定するまでの判定時間を短くすることができる。これにより、蒸発器が過度に冷却されることが抑制される。
【００１５】
請求項４に記載の発明は、請求項１〜３のいずれか一項に記載の調湿装置において、当該調湿装置（1）の始動時に、前記室外空気の温度および前記室内空気の温度がともに設定温度よりも大きい場合、前記室外空気および前記室内空気のうち温度の高い空気を、前記蒸発器として機能する熱交換器に流通させる処理を実行しないことを要旨としている。
【００１６】
蒸発器に存在する蒸発冷媒が多量に液化する条件が成立することは少ない。このような現象は、蒸発器に流入する空気の温度が所定の温度以下にならなければ生じない。すなわち、このような条件が成立しないときは、蒸発冷媒の液化量が少ないため液冷媒がアキュムレータを通じて圧縮機（13）に流れ込むこともない。
【００１７】
本発明では、調湿装置（1）の始動時において室外空気の温度および室内空気の温度がともに設定温度以上のときは、室外空気および室内空気のうち温度の高い空気を蒸発器に流通させる処理を実行しない。そして、このような処理により、本運転と同じパターンで熱交換器に対して空気を導くことが可能となる。
【００１８】
請求項５に記載の発明は、圧縮機（13）と、吸着剤を担持した第１熱交換器（11）と、吸着剤を担持した第２熱交換器（12）と、電子膨張弁（14）と、四路切換弁（15）とを含む冷媒回路（10）と、前記第１熱交換器（11）に流通させる空気と前記第２熱交換器（12）に流通させる空気とを互いに換える通気切換装置（20）とを備え、前記第１熱交換器（11）および前記第２熱交換器（12）の一方を凝縮器とし前記吸着剤の再生動作により加湿器として機能させるとともに他方を蒸発器とし前記吸着剤の吸着動作により除湿器として機能させ、前記四路切換弁（15）で前記冷媒回路（10）に流れる冷媒の流れを変更することにより両熱交換器の機能を交替させる調湿装置（1）において、当該調湿装置（1）の始動時に、前記蒸発器および前記凝縮器の一方に室外空気を流入するとともに他方に室内空気を流入し、かつ前記室外空気の温度と前記室内空気の温度とを比較していずれの空気の温度が高いかを判定し、前記圧縮機（13）の起動時に、前記四路切換弁（15）を切り換えることにより、前記第１熱交換器（11）および前記第２熱交換器（12）のうち温度の高い空気が流通している熱交換器を前記蒸発器として機能させることを要旨とする。
【００１９】
この発明では、蒸発器および凝縮器の一方に室外空気を流入するとともに他方に室内空気を流入させて、室外空気および室内空気のうち温度の高い空気がいずれであるかについて判定する。次に、四路切換弁（15）の動作により、当該温度の高い空気が流通する熱交換器を蒸発器として機能させる。このような構成により、室外空気および室内空気のいずれかが冷媒を過度に液化させる程低温であったとしても、当該液冷媒を凝縮器に存在させることができる。このため、圧縮機（13）の始動のときに液冷媒が圧縮機（13）に流れ込むことを抑制することができる。
【００２０】
なお、圧縮機（13）と、吸着剤を担持した第１熱交換器（11）と、吸着剤を担持した第２熱交換器（12）と、電子膨張弁（14）と、四路切換弁（15）とを含む冷媒回路（10）と、前記第１熱交換器（11）に流通させる空気と前記第２熱交換器（12）に流通させる空気とを互いに換える通気切換装置（20）とを備え、前記第１熱交換器（11）および前記第２熱交換器（12）の一方を凝縮器とし前記吸着剤の再生動作により加湿器として機能させるとともに他方を蒸発器とし前記吸着剤の吸着動作により除湿器として機能させ、前記四路切換弁（15）で前記冷媒回路（10）に流れる冷媒の流れを変更することにより両熱交換器の機能を交替させる調湿装置（1）において、当該調湿装置（1）の始動時に、室外空気および室内空気を前記第１熱交換器（11）および前記第２熱交換器（12）以外の通路を通じて当該調湿装置（1）に流入させるように構成してもよい。
【００２１】
この構成では、調湿装置（1）に導かれる空気を熱交換器に導入しない。このため、室
外空気または室内空気により蒸発器が冷却されることはない。すなわち、このような構成により、圧縮機の始動のとき液冷媒が多量に流れ込むことを抑制することができる。
【発明の効果】
【００２２】
本発明によれば、調湿装置の始動時に生じる液冷媒戻りを抑制することができる調湿装置を提供することができる。
【図面の簡単な説明】
【００２３】
【図１】本発明の実施形態の調湿装置について、その斜視構造を示す斜視図。
【図２】同実施形態の調湿装置の通気切換装置について、（ａ）はその通気切換装置の第１動作モードを示す斜視図、（ｂ）は通気切換装置の第２動作モードを示す斜視図。
【図３】同実施形態の調湿装置について、除湿運転を示す模式図。
【図４】同実施形態の調湿装置について、加湿運転を示す模式図。
【図５】同実施形態の調湿装置について、調湿装置の運転モードと四路切換弁の切換状態と通気切換装置の動作モードとの関係を示す表。
【図６】同実施形態の調湿装置について「調湿制御」の手順を示すフローチャート。
【図７】同実施形態の調湿装置について、「準備運転制御」の手順を示すフローチャート。
【図８】同実施形態の調湿装置について、準備運転制御時において通気切換装置の動作モードを設定するための切換表。
【図９】同実施形態の調湿装置について、（ａ）は、室外空気温度が室内空気温度よりも高いときの冷媒回路の状態および空気の流れを示す模式図、（ｂ）は、室外空気温度が室内空気温度以下であるときの冷媒回路の状態および空気の流れを示す模式図。
【発明を実施するための形態】
【００２４】
図１を参照して、本実施形態にかかる調湿装置について説明する。
調湿装置１は、冷媒回路１０と、この調湿装置１に流通させる空気の流れを制御する通気切換装置２０と、冷媒回路１０および通気切換装置２０を制御する制御装置３０とを備えている。そして、調湿装置１は、室外から空気（以下、「室外空気ＯＡ」）を取り入れ室外空気ＯＡを調湿した後、室内に供給するとともに、室内から空気（以下、「室内空気ＲＡ」）を取り入れ調湿した後、室外に排出する。
【００２５】
［冷媒回路］
図３に示すように、冷媒回路１０は、圧縮機１３と、吸着剤を担持する第１熱交換器１１と、吸着剤を担持する第２熱交換器１２と、電子膨張弁１４と、四路切換弁１５とを備える。吸着剤は水を吸収する。すなわち、第１熱交換器１１および第２熱交換器１２のそれぞれは、蒸発器として作用するときは除湿器として機能し、凝縮器として作用するときは加湿器として機能する。
【００２６】
第１熱交換器１１と第２熱交換器１２とを接続する第１冷媒経路１７の間には電子膨張弁１４が設けられている。第１熱交換器１１と第２熱交換器１２とを接続する第２冷媒経路１８の間には圧縮機１３が設けられている。四路切換弁１５は、第２冷媒経路１８の途中に設けられ、冷媒の流れの方向を反転させる。圧縮機１３の冷媒の吸込側にはアキュムレータ１６が設けられている。
【００２７】
四路切換弁１５は、第１切換状態と第２切換状態とを有する。
第１切換状態は、圧縮機１３の吐出側を第１熱交換器１１に接続し、かつ圧縮機１３の吸込側を第２熱交換器１２に接続する。すなわち、第１切換状態は、第１熱交換器１１を凝縮器として作用させるとともに、第２熱交換器１２を蒸発器として作用させる。
【００２８】
第２切換状態は、圧縮機１３の吐出側を第２熱交換器１２に接続し、かつ圧縮機１３の吸込側を第１熱交換器１１に接続する。すなわち、第２切換状態は、第１熱交換器１１を蒸発器として作用させるとともに、第２熱交換器１２を凝縮器として作用させる。
【００２９】
蒸発器としての熱交換器は、空気を冷却するとともに、吸着剤の吸着動作により水を吸収する。これにより空気を乾燥する。すなわち、蒸発器として作用する熱交換器は、除湿器として機能する。
【００３０】
凝縮器としての熱交換器は、吸着剤を加熱することにより、吸着剤の再生動作により吸着剤から水を蒸発させる。これにより空気を加湿する。すなわち、凝縮器として作用する熱交換器は、加湿器として機能する。
【００３１】
四路切換弁１５は、周期的に第１切換状態と第２切換状態との間で切り換わる。このため、第１熱交換器１１および第２熱交換器１２は、四路切換弁１５の状態が切り換わる度に、その機能が変わる。具体的には、第１熱交換器１１が蒸発器として作用しかつ第２熱交換器１２が凝縮器として作用しているとき、所定時間の経過後、第１熱交換器１１が凝縮器として作用しかつ第２熱交換器１２が蒸発器として作用する。すなわち、第１熱交換器１１および第２熱交換器１２のそれぞれは、蒸発器および凝縮器として、交互に作用させることにより、水の吸収および水の排出を交互に繰り返す。これにより、一方の熱交換器を再生動作させながら加湿器として動作させ、他方の熱交換器を吸着動作させながら除湿器として動作させる。
【００３２】
制御装置３０は、各種センサの検出値およびリモートコントローラによる指令に基づいて、四路切換弁１５の切換、電子膨張弁１４の開度調整、圧縮機１３に供給する電力の周波数、通気切換装置２０の動作を制御する。
【００３３】
制御装置３０には、室内空気ＲＡの温度（以下、「室内空気温度Ｔｒ」）を測定する第１温度センサ３１、室外空気ＯＡの温度（以下、「室外空気温度Ｔｏ」）を測定する第２温度センサ３２、室内空気ＲＡの湿度を測定する第１湿度センサ３３、および室外空気ＯＡの湿度を測定する第２湿度センサ３４が接続されている。
【００３４】
［通気切換装置２０］
図１に示すように、通気切換装置２０は４つの装置から構成されている。
第１の装置は、室内空気ＲＡを第１熱交換器１１および第２熱交換器１２のうちの一方に流通させる。第１熱交換器１１および第２熱交換器１２のうちいずれに室内空気ＲＡを流通させるかについては、温度センサの検出値および調湿装置１の運転状態に基づいて決定される。なお、以降の説明では、第１の装置を「室内空気切換装置２１」という。
【００３５】
第２の装置は、第１熱交換器１１および第２熱交換器１２のうち室内空気ＲＡが流通していない熱交換器に対して室外空気ＯＡを流通させる。第２の装置を以降では「室外空気切換装置２２」という。
【００３６】
第３の装置は、第１熱交換器１１から出される空気および第２熱交換器１２から出される空気のうち一方を選択し、選択した空気を供給空気ＳＡとして室内に供給する。第３の装置を以降では「供給空気切換装置２３」という。
【００３７】
第４の装置は、第１熱交換器１１から出される空気および第２熱交換器１２から出される空気のうち一方を選択し、選択した空気を排出空気ＥＡとして室外に排出する。第４の装置を以降では「排出空気切換装置２４」という。
【００３８】
冷媒回路１０および通気切換装置２０および制御装置３０は１つの筐体４０に収容されている。以下、これら構成要素の配置関係について説明する。
なお、以降の説明では、図１の右上側の面を前面とし、左下側の面を後面とする。前面および後面に垂直な面でかつ紙面上で下側の側面を左面とし、筐体４０において左面と反対側にある面を右面とする。前面に垂直な面のうち紙面上で下側にある面を底面とし、紙面上で上側にある面を天面とする。また、前面方向を前方とし、後面方向を後方とし、天面側の方向を上方とし、この反対を下方とする。右面方向を右方とし、この反対方向を左方とする。
【００３９】
筐体４０は直方体に形成されている。筐体４０内は６つの部屋に区画されている。
筐体４０内には、筐体４０の前面壁４１に対して平行に、前方に第１仕切壁４５が設けられ、後方に第２仕切壁４６が設けられている。前面壁４１と第１仕切壁４５との間の空間は、第３仕切壁４７により上下方向に２つの部屋、すなわち第１前室５１と第２前室５２とに区画されている。
【００４０】
第１仕切壁４５と第２仕切壁４６との間の空間は、第４仕切壁４８により左右方向に２つの部屋に区画されている。第４仕切壁４８により仕切られた部屋のうち左側の部屋には、第１熱交換器１１が収容されている。第４仕切壁４８により仕切られた部屋のうち右側の部屋には、第２熱交換器１２が収容されている。以降、第１熱交換器１１が収容されている部屋を「第１熱交換室５３」といい、第２熱交換器１２が収容されている部屋を「第２熱交換室５４」という。なお、第１熱交換室５３には、電子膨張弁１４が設置されている。
【００４１】
後面壁４２と第２仕切壁４６との間の空間は、第５仕切壁４９〜第８仕切壁５０Ｂにより２つの部屋すなわち第１後室５５と第２後室５６に区画されている。第５仕切壁４９は、後面壁４２と第２仕切壁４６との間の空間のうち前方空間を上下に区画する。第６仕切壁５０は、後面壁４２と第２仕切壁４６との間の空間のうち後方空間を左右に区画する。第７仕切壁５０Ａは、前方空間の下側の空間と後方空間の左側の空間を仕切る。第８仕切壁５０Ｂは、前方空間の上側の空間と後方空間の右側の空間を仕切る。第１後室５５は、前方空間の上方空間および後方空間の左方空間を占める。第２後室５６は、前方空間の下方空間および後方空間の右方空間を占める。
【００４２】
第１前室５１の構成を説明する。
第１前室５１の前面壁４１には、室内空気ＲＡを吸入するための室内吸気口５７が設けられている。第１前室５１の第１仕切壁４５には、第１前方開閉機構７１と第２前方開閉機構７２が形成されている。
【００４３】
第１前方開閉機構７１は、第１仕切壁４５において第１熱交換室５３に対応する部分に形成された開口部と当該開口部を開閉するダンパとにより構成されている。第１前方開閉機構７１は、ダンパの動作により、開口部が開いた状態（以下、「開状態」）と、開口部が閉じた状態（以下、「閉状態」）との間で、切り換わる。第１前方開閉機構７１が開状態となるとき、第１前室５１と第１熱交換室５３との間が連通状態となる。第１前方開閉機構７１が閉状態となるとき、第１前室５１と第１熱交換室５３との間の空気の流通が遮断される。
【００４４】
第２前方開閉機構７２は、第１仕切壁４５において第２熱交換室５４に対応する部分に形成された開口部と当該開口部を開閉するダンパとにより構成されている。第２前方開閉機構７２は、開状態と閉状態の間で切り換わる。第２前方開閉機構７２が開状態となるとき、第１前室５１と第２熱交換室５４との間が連通状態となる。第２前方開閉機構７２が閉状態となるとき、第１前室５１と第２熱交換室５４との間の空気の流通が遮断される。
【００４５】
すなわち、第１前室５１、室内吸気口５７、第１前方開閉機構７１、および第２前方開閉機構７２により構成される装置は前記室内空気切換装置２１に対応する。なお、第１前室５１には、第１温度センサ３１および第１湿度センサ３３が設置されている。
【００４６】
第２前室５２の構成を説明する。
第２前室５２の前面壁４１には、室外空気ＯＡを吸入するための室外吸気口５８が設けられている。第２前室５２の第１仕切壁４５には、第３前方開閉機構７３と第４前方開閉機構７４が形成されている。
【００４７】
第３前方開閉機構７３は、第１仕切壁４５において第１熱交換室５３に対応する部分に形成された開口部と当該開口部を開閉するダンパとにより構成されている。第３前方開閉機構７３は、開状態と閉状態の間で切り換わる。第３前方開閉機構７３が開状態となるとき、第２前室５２と第１熱交換室５３との間が連通状態となる。第３前方開閉機構７３が閉状態となるとき、第２前室５２と第１熱交換室５３との間の空気の流通が遮断される。
【００４８】
第４前方開閉機構７４は、第１仕切壁４５において第２熱交換室５４に対応する部分に形成された開口部と当該開口部を開閉するダンパとにより構成されている。第４前方開閉機構７４は、開状態と閉状態の間で切り換わる。第４前方開閉機構７４が開状態となるとき、第２前室５２と第２熱交換室５４との間が連通状態となる。第４前方開閉機構７４が閉状態となるとき、第２前室５２と第２熱交換室５４との間の空気の流通が遮断される。
【００４９】
すなわち、第２前室５２、室外吸気口５８、第３前方開閉機構７３、および第４前方開閉機構７４により構成される装置は、前記室外空気切換装置２２に対応する。なお、第２前室５２には、第２温度センサ３２および第２湿度センサ３４が設置されている。
【００５０】
第１後室５５の構成を説明する。
第１後室５５の左側壁４３には、空気を室内に供給するための供給口５９が設けられている。第１後室５５の第２仕切壁４６には、第１後方開閉機構８１と第２後方開閉機構８２が形成されている。
【００５１】
第１後方開閉機構８１は、第２仕切壁４６において第１熱交換室５３に対応する部分に形成された開口部と当該開口部を開閉するダンパとにより構成されている。第１後方開閉機構８１は、開状態と閉状態の間で切り換わる。第１後方開閉機構８１が開状態となるとき、第１後室５５と第１熱交換室５３との間が連通状態となる。第１後方開閉機構８１が閉状態となるとき、第１後室５５と第１熱交換室５３との間の空気の流通が遮断される。
【００５２】
第２後方開閉機構８２は、第２仕切壁４６において第２熱交換室５４に対応する部分に形成された開口部と当該開口部を開閉するダンパとにより構成されている。第２後方開閉機構８２は、開状態と閉状態の間で切り換わる。第２後方開閉機構８２が開状態となるとき、第１後室５５と第２熱交換室５４との間が連通状態となる。第２後方開閉機構８２が閉状態となるとき、第１後室５５と第２熱交換室５４との間の空気の流通が遮断される。
【００５３】
すなわち、第１後室５５、供給口５９、第１後方開閉機構８１、および第２後方開閉機構８２により構成される装置は、前記供給空気切換装置２３に対応する。
なお、第１後室５５には、圧縮機１３、四路切換弁１５、アキュムレータ１６が設置されている。また、調湿装置１に室外空気ＯＡを吸引しかつ室内にその空気を放出するための供給ファン９１が設けられている。供給ファン９１は例えばシロッコファンにより構成される。
【００５４】
第２後室５６の構成を説明する。
第２後室５６の右側壁４４には、空気を室外に排出するための排出口６０が設けられている。第２後室５６の第２仕切壁４６には、第３後方開閉機構８３と第４後方開閉機構８４が形成されている。
【００５５】
第３後方開閉機構８３は、第２仕切壁４６において第１熱交換室５３に対応する部分に形成された開口部と当該開口部を開閉するダンパとにより構成されている。第３後方開閉機構８３は、開状態と閉状態の間で切り換わる。第３後方開閉機構８３が開状態となるとき、第２後室５６と第１熱交換室５３との間が連通状態となる。第３後方開閉機構８３が閉状態となるとき、第２後室５６と第１熱交換室５３との間の空気の流通が遮断される。
【００５６】
第４後方開閉機構８４は、第２仕切壁４６において第２熱交換室５４に対応する部分に形成された開口部と当該開口部を開閉するダンパとにより構成されている。第４後方開閉機構８４は、開状態と閉状態の間で切り換わる。第４後方開閉機構８４が開状態となるとき、第２後室５６と第２熱交換室５４との間が連通状態となる。第４後方開閉機構８４が閉状態となるとき、第２後室５６と第２熱交換室５４との間の空気の流通が遮断される。
【００５７】
すなわち、第２後室５６、排出口６０、第３後方開閉機構８３、および第４後方開閉機構８４により構成される装置は、前記排出空気切換装置２４に対応する。なお、調湿装置１に室内空気ＲＡを吸引しかつその空気を室外に放出するための排出ファン９２が設けられている。排出ファン９２は例えばシロッコファンにより構成される。
【００５８】
図２を参照して、通気切換装置２０の動作モードについて説明する。
通気切換装置２０は、室内空気ＲＡの流れを換えるとともに、室外空気ＯＡの流れを換える。すなわち、通気切換装置２０は、室外空気ＯＡを第１熱交換室５３に流通させる第１動作モードと、室外空気ＯＡを第２熱交換室５４に流通させる第２動作モードとを有す。そして、両モードを切り換えることにより、室内空気ＲＡの流れと室外空気ＯＡの流れとを互いに換える。
【００５９】
第１動作モードは、室内空気ＲＡを第１熱交換室５３に流通させるとともに、室外空気ＯＡを第２熱交換室５４に流通させる。
具体的には、図２（ａ）に示すように、第１前方開閉機構７１を開状態としかつ第２前方開閉機構７２を閉状態とするとともに、第３後方開閉機構８３を開状態としかつ第４後方開閉機構８４を閉状態とする。これにより、室内空気ＲＡが第１熱交換室５３に流通する。
【００６０】
そして、第３前方開閉機構７３を閉状態としかつ第４前方開閉機構７４を開状態とするとともに、第１後方開閉機構８１を閉状態としかつ第２後方開閉機構８２を開状態とする。これにより、室外空気ＯＡが第２熱交換室５４に流通する。
【００６１】
第２動作モードは、室内空気ＲＡを第２熱交換室５４に流通させるとともに、室外空気ＯＡを第１熱交換室５３に流通させる。
具体的には、図２（ｂ）に示すように、第１前方開閉機構７１を閉状態としかつ第２前方開閉機構７２を開状態とするとともに、第３後方開閉機構８３を閉状態としかつ第４後方開閉機構８４を開状態とする。これにより、室内空気ＲＡが第２熱交換室５４に流通する。
【００６２】
そして、第３前方開閉機構７３を開状態としかつ第４前方開閉機構７４を閉状態とするとともに、第１後方開閉機構８１を開状態としかつ第２後方開閉機構８２を閉状態とする。これにより、室外空気ＯＡが第１熱交換室５３に流通する。
【００６３】
調湿装置１の運転モードについて説明する。
調湿装置１は、除湿運転と、加湿運転と、換気運転とを行う。
除湿運転は、蒸発器として作用する熱交換器で、吸着剤の吸着動作により吸着剤に水を吸収させて室外空気ＯＡを除湿し、この室外空気ＯＡを室内に供給する。また、凝縮器として作用する熱交換器で、水を含む吸着剤の再生動作により、吸着剤に含まれる水を室内空気ＲＡに付与し、この室内空気ＲＡを室外に排出する。これにより水を吸収する吸湿剤として吸着剤を再生させる。除湿運転は、主に、夏期に実行される。
【００６４】
加湿運転は、凝縮器として作用する熱交換器で、水を含む吸着剤の再生動作により、吸着剤に含まれる水を室外空気ＯＡに付与し、室外空気ＯＡを加湿して室内に供給する。また、蒸発器として作用する熱交換器で、吸着剤の吸着動作により吸着剤に水を吸収させることにより室内空気ＲＡから水分を吸収し、この室内空気ＲＡを室外に排出する。室内空気ＲＡから吸収した水が室外空気ＯＡの加湿用の水となる。加湿運転は、主に、冬期に実行される。
【００６５】
換気運転は、冷媒回路１０を停止して、室外空気ＯＡを室内に供給し、室内空気ＲＡを室外に排出する運転をいう。換気運転は、主に、春期および秋期に実行される。例えば、室外空気ＯＡの温度が第１設定温度ＴＡ以上第２設定温度ＴＢ以下のときに実行される。
【００６６】
図３を参照して、除湿運転時の冷媒回路１０の動作について説明する。
除湿運転のとき、蒸発器として作用する熱交換器に室外空気ＯＡを流入させるとともに、凝縮器として作用する熱交換器に室内空気ＲＡを流入させる。
【００６７】
具体的には、図３に示すように、四路切換弁１５が第１切換状態のとき、すなわち第１熱交換器１１が凝縮器として作用し、かつ第２熱交換器１２が蒸発器として作用するとき、通気切換装置２０を第１動作モードにする。
【００６８】
一方、四路切換弁１５が第２切換状態のとき、すなわち第１熱交換器１１が蒸発器として作用し、かつ第２熱交換器１２が凝縮器として作用するとき、通気切換装置２０を第２動作モードにする。
【００６９】
すなわち、四路切換弁１５の切換動作に対応して通気切換装置２０の動作モードを切り換え、蒸発器として作用する熱交換器に室外空気ＯＡを流入させる。
図４を参照して、加湿運転時の冷媒回路１０の動作について説明する。
【００７０】
加湿運転のとき、蒸発器として作用する熱交換器に室内空気ＲＡを流入させるとともに、凝縮器として作用する熱交換器に室外空気ＯＡを流入させる。
具体的には、図４に示すように、四路切換弁１５が第２切換状態のとき、すなわち第１熱交換器１１が蒸発器として作用し、かつ第２熱交換器１２が凝縮器として作用するとき、通気切換装置２０を第１動作モードにする。
【００７１】
一方、四路切換弁１５が第１切換状態のとき、すなわち第１熱交換器１１が凝縮器として作用し、かつ第２熱交換器１２が蒸発器として作用するとき、通気切換装置２０を第２動作モードにする。また、四路切換弁１５の切換動作に対応して通気切換装置２０の動作モードを切り換え、凝縮器として作用する熱交換器に室外空気ＯＡが流入させる。
【００７２】
図５は、調湿装置１の各運転モードと四路切換弁１５の切換状態と通気切換装置２０との関係を示す。
また、各運転モードにおいて、蒸発器として作用する熱交換器に流通する空気の種類を示している。すなわち、四路切換弁１５の切換状態が設定され、かつ通気切換装置２０の動作モードが設定されるとき、蒸発器として作用する熱交換器に流通する空気の種類が特定されることを示す。
【００７３】
図６を参照して、調湿制御の手順の一例を説明する。
調湿処理は、調湿装置１が運転停止状態にあるとき、始動命令に基づいて実行される。
始動命令は、リモートコントローラに設けられている電源スイッチのオン信号を制御装置３０が受信することにより形成される。
【００７４】
まず、ステップ１００において、準備運転制御を実行する。
準備運転制御は、室内の湿度を調整するための調湿制御の前に実行され、室内の湿度を高くするか、低くするかについて判定する。次に、ステップＳ２００において、調湿制御を実行する。調湿制御では、室外空気ＯＡの温度に基づいて室外空気ＯＡの調湿を行う。
【００７５】
［調湿制御］
運転モードが除湿運転のとき、図５に示すように、四路切換弁１５の第１切換状態かつ通気切換装置２０の第１動作モードの組合せと、四路切換弁１５の第２切換状態かつ通気切換装置２０の第２動作モードの組合せとを交互に実行する。
【００７６】
運転モードが加湿運転のとき、図５に示すように、四路切換弁１５の第１切換状態かつ通気切換装置２０の第２動作モードの組合せと、四路切換弁１５の第２切換状態かつ通気切換装置２０の第１動作モードの組合せとを交互に実行する。
【００７７】
運転モードが換気運転に設定されているとき、圧縮機１３が停止状態に維持される。通気切換装置２０は第１動作モードまたは第２動作モードに設定される。そして、供給ファン９１および排出ファン９２を駆動する。すなわち、室外空気ＯＡが除湿または加湿されることなく室内に取り入れられる。室内空気ＲＡが除湿または加湿されることなく室外に排出される。
【００７８】
［運転停止制御］
調湿制御が実行されている場合において、運転停止命令があるとき、調湿制御が停止する。運転停止命令は、例えば、リモートコントローラに設けられている電源スイッチのオフ信号を制御装置３０が受信することにより形成される。
【００７９】
運転停止命令があったとき、圧縮機１３を停止させる圧縮機停止制御が実行される。具体的には、インバータ回路のＰＷＭ信号の周波数を運転中の周波数から徐々に小さくし、圧縮機１３の電動モータを停止させる。
【００８０】
また、運転停止命令があったとき、運転モードに応じて、運転停止期間中の電子膨張弁１４の開度を設定する。
具体的には、換気運転を行っている時期においては、電子膨張弁１４の開度を閉鎖開度に設定する。除湿運転を行っている時期および加湿運転を行っている時期においては、電子膨張弁１４の開度を閉鎖開度よりも大きい開度（以下、「停止開度」）に設定する。なお、閉鎖開度とは、電子膨張弁１４を通じて冷媒が移動することができなくなる開度を示す。
【００８１】
調湿装置１の運転停止期間中において、電子膨張弁１４の開度を閉鎖開度よりも大きい開度（以下、「停止開度」）に設定されたときは、第１冷媒経路１７すなわち電子膨張弁１４が設けられている冷媒経路（第１冷媒経路１７）が連通状態とされ、第１熱交換器１１と第２熱交換器１２との間で冷媒が移動可能な状態となる。
【００８２】
ところで、仮に、除湿運転を行っている時期および加湿運転を行っている時期に、調湿装置１の運転停止中に電子膨張弁１４の開度を閉鎖開度に設定して第１冷媒経路１７を閉じた状態にすると、次の現象が生じる。
【００８３】
すなわち、運転停止時においては、第１熱交換器１１と第２熱交換器１２との間に温度差があるため、熱的平衡状態を形成するように冷媒が両熱交換器の間で移動する。この場合、第１冷媒経路１７が閉じられているため、圧縮機１３が設けられている第２冷媒経路１８を通じて冷媒が移動する。このため、圧縮機１３内の潤滑油に冷媒が溶け込む量が多くなり、その後の冷媒の蒸発により潤滑油が冷媒回路１０に流出する。この結果、圧縮機１３の潤滑油の量が減少する。
【００８４】
そこで、このような現象を抑制するため、少なくとも除湿運転を行っている時期や加湿運転を行っている時期においては、運転停止期間中、電子膨張弁１４の開度を閉鎖開度よりも大きい開度にし、第１冷媒経路１７を連通状態に維持する。
【００８５】
図７および図８を参照して、準備運転制御の手順の一例を説明する。
ステップＳ２１０において、四路切換弁１５の切換状態を検出する。これにより、圧縮機１３を起動したときに、第１熱交換器１１が蒸発器および凝縮器のうちいずれで作用するか、第２熱交換器１２が蒸発器および凝縮器のいずれで作用するかを判定する。
【００８６】
ステップＳ２２０において、排出ファン９２および供給ファン９１を駆動する。これにより、調湿装置１内に室外空気ＯＡおよび室内空気ＲＡを流通させる。なお、この時点では、電子膨張弁１４の開度は、調湿装置１の運転停止時における開度に維持されている。また、圧縮機１３を停止状態に維持する。
【００８７】
ステップＳ２３０において、排出ファン９２および供給ファン９１の起動から所定時間の経過後、第１温度センサ３１により室内空気温度Ｔｒを測定する。また、第２温度センサ３２により室外空気温度Ｔｏを測定する。そして、室内空気温度Ｔｒと室外空気温度Ｔｏとを比較し、温度の高い空気を判定する。判定時間を短くするため、室内空気温度Ｔｒと室外空気温度Ｔｏとの間に差が生じたとき、両者の温度を比較して、室内空気温度Ｔｒおよび室外空気温度Ｔｏのうちいずれの温度が高いかを判定する。
【００８８】
ステップＳ２４０において、室内空気温度Ｔｒと室外空気温度Ｔｏとの比較結果および四路切換弁１５の切換状態に基づいて、圧縮機１３を起動させたときに蒸発器として作用する熱交換器に、比較的温度の高い空気が流通するように、通気切換装置２０の動作モードを設定する。
【００８９】
この動作モードの決定は、切換表を用いて行われる。切換表は、室内空気温度Ｔｒと室外空気温度Ｔｏとの比較結果および四路切換弁１５の切換状態の情報に基づいて、蒸発器として作用する熱交換器に比較的温度の高い空気を流通させることができる通気切換装置２０の動作モードが選択できるように、構成されている。
【００９０】
切換表により、通気切換装置２０の動作モードが設定された後、蒸発器として作用する熱交換器に比較的高温の空気を所定期間にわたって流通させる。その後、次のステップに移行する。
【００９１】
ステップＳ２５０において、調湿装置１の起動時を起算時として設定時間経過したとき、室外空気温度Ｔｏが第１設定温度ＴＡよりも高いか否かを判定する。設定時間は、室外空気温度Ｔｏが安定するまでに要する時間として設定されている。
【００９２】
この判定に基づいて運転モードを決定する。当該判定が肯定されるとき、運転モードが除湿運転に設定する（ステップＳ２６１）。ステップＳ２５０の判定が否定されるとき、すなわち室外空気温度Ｔｏが第１設定温度ＴＡ以下のときは次のステップに移行する。
【００９３】
ステップＳ２６０において、室外空気温度Ｔｏが第２設定温度ＴＢ以上か否かを判定する。すなわち、この判定肯定されるとき、すなわち室外空気温度Ｔｏが第２設定温度ＴＢ以上かつ第１設定温度ＴＡ以下のとき、運転モードを換気運転に設定する（ステップＳ２６２）。ステップＳ２６０の判定が否定されるとき、すなわち室外空気温度Ｔｏが第２設定温度ＴＢよりも小さいとき、運転モードを加湿運転に設定する（ステップＳ２６３）。
【００９４】
ステップＳ２７０において、四路切換弁１５の切換状態および設定された運転モードに基づいて、通気切換装置２０の動作モードを切り換える。そして、電子膨張弁１４を所定の開度に設定し、インバータ回路によりＰＷＭ信号の周波数を徐々に高くして、ＰＷＭ信号の周波数を所定周波数にまで上げる。このようにして圧縮機１３を起動する。
【００９５】
図８を参照して、上記切換表について説明する。
切換表は、上記したように、準備運転制御中の通気切換装置２０の動作モードを設定するために用いられる。この切換表は、蒸発器として作用する熱交換器に比較的温度の高い空気を当てる動作モードを選択することのできる構成とされている。以下、切換表について具体的に説明する。
【００９６】
四路切換弁１５が第１切換状態にあるとき第２熱交換器１２が蒸発器として作用する。
室外空気温度Ｔｏが室内空気温度Ｔｒよりも高いときは、室外空気ＯＡを第２熱交換器１２に当てる。第２熱交換器１２に室外空気ＯＡを当てる動作モードは第１動作モードに対応する。このため、このような条件に対して第１動作モードが割り当てられている。
【００９７】
一方、室内空気温度Ｔｒが室外空気温度Ｔｏ以上のとき、室内空気ＲＡを第２熱交換器１２に当てる。第２熱交換器１２に室内空気ＲＡを当てる動作モードは第２動作モードに対応する。このため、このような条件に対して第２動作モードが割り当てられている。
【００９８】
四路切換弁１５が第２切換状態にあるとき第１熱交換器１１が蒸発器として作用する。
室外空気温度Ｔｏが室内空気温度Ｔｒよりも高いときは、室外空気ＯＡを第１熱交換器１１に当てる。第１熱交換器１１に室外空気ＯＡを当てる動作モードは第２動作モードに対応する。このため、このような条件に対して第２動作モードが割り当てられている。
【００９９】
一方、室内空気温度Ｔｒが室外空気温度Ｔｏ以上のとき、室内空気ＲＡを第１熱交換器１１に当てる。第１熱交換器１１に室内空気ＲＡを当てる動作モードは第１動作モードに対応する。このため、このような条件に対して第１動作モードが割り当てられている。
【０１００】
図９を参照して、準備運転制御中における空気の流通状態について説明する。
四路切換弁１５が第１切換状態に設定され、室外空気温度Ｔｏが室内空気温度Ｔｒよりも高い場合は、切換表によれば、通気切換装置２０の動作モードが第１動作モードに設定される。これは図８のＮｏ１の状態に対応する。この場合、図９（ａ）に示すように、室外空気ＯＡが第２熱交換器１２に当てられる。このため、第２熱交換器１２に比較的温度の低い室内空気ＲＡが当てられる場合と比べて、第２熱交換器１２（蒸発器）の冷却は小さい。
【０１０１】
四路切換弁１５が第１切換状態に設定され、室外空気温度Ｔｏが室内空気温度Ｔｒ以下の場合は、切換表によれば、通気切換装置２０の動作モードが第２動作モードに設定される。これは図８のＮｏ２の状態に対応する。この場合、図９（ｂ）に示すように、室内空気ＲＡが第２熱交換器１２に当てられる。このため、第２熱交換器１２に比較的温度の低い室外空気ＯＡが当てられる場合と比べて第２熱交換器１２（蒸発器）の冷却は小さい。
【０１０２】
図８のＮｏ３、Ｎｏ４に対応する状態においても上記と同様である。
図８のＮｏ３の場合、室外空気ＯＡが第１熱交換器１１に当てられる。このため、第１熱交換器１１に比較的温度の低い室内空気ＲＡが当てられる場合と比べて、第１熱交換器１１（蒸発器）の冷却は小さい。
【０１０３】
図８のＮｏ４の場合、室内空気ＲＡが第１熱交換器１１に当てられる。このため、第１熱交換器１１に比較的温度の低い室外空気ＯＡが当てられる場合と比べて、第１熱交換器１１（蒸発器）の冷却は小さい。
【０１０４】
以上のように、準備運転制御中においては、切換表に基づく通気切換装置２０の動作により、蒸発器として作用する熱交換器に比較的温度の高い空気が流通する。このため、蒸発器が過度に冷却されることが抑制される。
【０１０５】
以下、このような制御、すなわち調湿装置１の始動時において、蒸発器として作用する熱交換器に比較的温度の高い空気を選択的に流通させる制御を実行する理由について説明する。
【０１０６】
調湿装置１を始動するとき、室外空気温度Ｔｏに基づいて運転モードを決定する。そして、室外空気温度Ｔｏを精確に測定するために、供給ファン９１および排出ファン９２を動作させる。このとき、室外空気ＯＡおよび室内空気ＲＡが調湿装置１内に入る。室外空気ＯＡおよび室内空気ＲＡの温度が高いときは液冷媒の増大は殆どない。一方、室外空気ＯＡまたは室内空気ＲＡの温度が低いとき、特に、冷媒の凝縮温度よりも低いとき、第１熱交換器１１または第２熱交換器１２内の冷媒が液化するため、液冷媒の量が増大する。圧縮機１３の起動時において、蒸発器として作用する熱交換器に液冷媒の量が多いとき、アキュムレータ１６を通じて圧縮機１３側に冷媒が流れ込むことがある。圧縮機１３内に液冷媒が入ると、潤滑油と液冷媒とが混合しその後の冷媒の蒸発により潤滑油が冷媒回路１０に流出するといった問題が生じる。
【０１０７】
このため、調湿装置１の始動時において、蒸発器として作用する熱交換器に比較的温度の高い空気を選択的に流通させる。これにより、蒸発器に液冷媒が増大することを抑制する。
【０１０８】
＜準備運転制御の変形例＞
上記実施形態では、季節に関らず、調湿装置１の始動時において、蒸発器として作用する熱交換器に比較的温度の高い空気を選択的に流通させる制御（以下、「始動時通気制御」）を実行する。しかし、蒸発器に存在する冷媒が多量に液化する条件が成立することは殆どない。すなわち、蒸発器に導かれる空気の温度が冷媒の凝縮温度に近くなることは少ない。このような温度条件が成立しないときは冷媒の液化量が少ないため、アキュムレータ１６を通じて液冷媒が圧縮機１３に流れ込むことは殆どない。そこで、次のように、始動時通気制御を実行してもよい。
【０１０９】
液冷媒が圧縮機１３に戻る可能性のある温度のうち最も高い温度を設定温度ＴＣとして設定する。設定温度ＴＣは例えば室温（２５℃）とされる。すなわち室温よりも高い温度のときには、蒸発冷媒が再液化することが殆どないことから、当該設定温度ＴＣがこのような温度（２５℃）に設定される。
【０１１０】
そして、当該調湿装置１が始動するとき、室外空気ＯＡの温度および室内空気ＲＡの温度がともに設定温度ＴＣよりも大きい場合は、始動時通気制御を実行しない。これにより、調湿装置１の始動時においても、準備運転制御後の運転モードと同じパターンで熱交換器に対して空気を導くことが可能となる。
【０１１１】
（実施形態の効果）
本実施形態の調湿装置１によれば以下の効果が得られる。
（１）本実施形態では、当該調湿装置１が始動するとき、室外空気温度Ｔｏと室内空気温度Ｔｒとを比較していずれの空気の温度が高いかを判定し、室外空気ＯＡおよび室内空気ＲＡのうち温度の高い方の空気を蒸発器に流通させる。
【０１１２】
この構成によれば、室外空気ＯＡおよび室内空気ＲＡのうちで比較的温度の高い空気を蒸発器に導くことにより、蒸発器が過度に冷却されることに起因して蒸発器内で冷媒液化が過度に促進されることが抑制される。これにより、液冷媒が圧縮機１３に戻ることが抑制される。
【０１１３】
（２）本実施形態では、加湿運転の時期および除湿運転の時期において調湿装置１を運転停止するとき、電子膨張弁１４側の冷媒経路すなわち第１冷媒経路１７を連通状態にする。これにより、調湿装置１の運転停止期間中、第１冷媒経路１７を通じて冷媒を移動させることができる。すなわち、圧縮機１３側に流入する冷媒量が少なくなる。このため、圧縮機１３の潤滑油の減少を抑制することができる。
【０１１４】
（３）本実施形態では、室外空気温度Ｔｏと室内空気温度Ｔｒとを比較していずれの空気の温度が高いか否かについての判定を、第１温度センサ３１の検出温度と第２温度センサ３２の検出温度との間に差が生じたことに基づいて行う。これにより、第１温度センサ３１の検出温度および第２温度センサ３２の検出温度の値が安定したときに両者を比較する場合と比較して、室外空気ＯＡおよび室内空気ＲＡのうち温度が高い空気はいずれかついて判定するまでの判定時間を短くすることができる。
【０１１５】
（４）本実施形態の変形例では、調湿装置１が始動するとき、室外空気ＯＡの温度および室内空気ＲＡの温度がともに設定温度ＴＣよりも大きい場合、室外空気ＯＡおよび室内空気ＲＡのうち温度の高い空気を蒸発器に流通させる処理を実行しない。このような処理により、準備運転制御後の運転モードと同じパターンで熱交換器に対して空気を導くことが可能となる。
【０１１６】
（その他の実施形態）
本発明の実施態様は上記各実施形態に例示した態様に限られるものではなく、例えば以下のように変更することもできる。
【０１１７】
・本実施形態では、加湿運転の時期および除湿運転の時期において調湿装置１を運転停止するとき、電子膨張弁１４側の冷媒経路すなわち第１冷媒経路１７を連通状態にする。これに対し、電子膨張弁１４側の冷媒経路を連通状態にするための要件として、更に、他の要件を付加してもよい。例えば、圧縮機１３側に流入する冷媒量が過大になるときの条件を要件として付加することができる。圧縮機１３側に流入する冷媒量が過大になる要因は、第１熱交換器１１を含む冷媒経路の冷媒圧と、第２熱交換器１２を含む冷媒経路の冷媒圧との差が過大になることであるため、この差が過大になることを、電子膨張弁１４側の冷媒経路を連通状態にするための要件とすることが好ましい。
【０１１８】
具体的には、加湿運転の時期および除湿運転の時期において、調湿装置１を運転停止するとき、第１熱交換器１１を含む冷媒経路の冷媒圧と、第２熱交換器１２を含む冷媒経路の冷媒圧とを比較して、その差が閾値よりも大きくなるとき、電子膨張弁１４側の開度を「停止開度」に設定して電子膨張弁１４側の冷媒経路を連通状態にする。なお、冷媒圧は、蒸気圧センサにより検出する。
【０１１９】
・本実施形態では、調湿装置１の始動時において、蒸発器として作用する熱交換器に比較的温度の高い空気を選択的に流通させる制御（始動時通気制御）を実行している。このとき、四路切換弁１５は運転停止制御時の切換状態のまま維持されている。
【０１２０】
一方、準備運転制御後において、四路切換弁１５の切換制御を行うことによっても、圧縮機１３に冷媒が流入することを抑制することができる。具体的には、まず、準備運転制御において、圧縮機１３を停止した状態で、供給ファン９１および排出ファン９２を動作させて室内空気ＲＡおよび室外空気ＯＡを調湿装置１に流入させる。次に、室外空気温度Ｔｏと室内空気温度Ｔｒとを測定する。次に、室外空気温度Ｔｏと室内空気温度Ｔｒとを比較していずれの空気の温度が高いかを判定する。
【０１２１】
そして、圧縮機１３を始動するとき、第１熱交換器１１および第２熱交換器１２のうち温度の高い空気が流通している熱交換器を蒸発器として作用させるように、四路切換弁１５を切り換える。これにより、室外空気ＯＡおよび室内空気ＲＡのいずれかが冷媒を液化させる程低温であったとしても、当該液冷媒を凝縮器に存在させることができる。これにより、圧縮機１３の始動のときに液冷媒が圧縮機１３に流れ込むことを抑制することができる。
【０１２２】
・本実施形態では、調湿装置１の始動時において、蒸発器として作用する熱交換器に比較的温度の高い空気を選択的に流通させる制御（始動時通気制御）を実行している。
一方、調湿装置１に、室外空気ＯＡおよび室内空気ＲＡの流れを変更する別の経路すなわちバイパスを設けることによっても、蒸発器として作用する熱交換器を過度に冷却することを抑制することができる。
【０１２３】
例えば、第１前室５１と第２後室５６とを接続する第１バイパスを設ける。そして、第１バイパスの途中に空気通路を開閉する第５開閉機構を設ける。また、第２前室５２と第１後室５５とを接続する第２バイパスを設ける。そして、第２バイパスの途中に空気通路を開閉する第６開閉機構を設ける。
【０１２４】
調湿装置１の始動時において、第１前方開閉機構７１、第２前方開閉機構７２、第３前方開閉機構７３、第４前方開閉機構７４のすべてを閉状態とし、第５開閉機構および第６開閉機構を開状態とする。このような構成により、第１熱交換器１１および第２熱交換器１２に室外空気ＯＡおよび室内空気ＲＡを流通させないようにすることができる。これにより、蒸発器として作用する熱交換器が過度に冷却されることがなくなるため、圧縮機１３の起動のときの圧縮機への液戻りを抑制することができる。
【０１２５】
・本実施形態では、１つの筐体４０に第１熱交換器１１、第２熱交換器１２、および通気切換装置２０を収容しているが、各構成要素を互いに離して設けてもよい。これにより、調湿装置１を様々な態様で配置可能となる。
【０１２６】
・本実施形態では、ダンパ制御により、２つの空気流を互いに換える構成の通気切換装置２０を採用しているが、通気切換装置２０の構成はこれに限定されない。例えば、室内空気切換装置２１を次の構成とすることができる。すなわち、室内空気ＲＡを導入する通路（以下、「主通路」）を、第１熱交換室５３に向う第１通路と第２熱交換室５４に向う第２通路に分岐し、当該分岐部分に、弁を配置して、当該弁の動作により、第１通路および第２通路のうちのいずれか一方が主通路に連通する構造とする。
【０１２７】
・本実施形態では、室内空気ＲＡが流入する室内吸気口５７および室外空気ＯＡが流入する室外吸気口５８を前面壁４１に設けているが、室内吸気口５７および室外吸気口５８の配置は限定されない。同様に、供給口５９および排出口６０の配置も限定されない。
【０１２８】
・本実施形態では、準備運転制御の期間において、蒸発器として作用する熱交換器に比較的温度の高い空気を選択的に流通させる制御（始動時通気制御）を実行している。この始動時通気制御の期間は、適宜変更することができる。例えば、始動時通気制御をさらに延長して、圧縮機１３の電動モータの回転数が所定回転数に至るまで始動時通気制御を継続して行ってもよい。
【符号の説明】
【０１２９】
１…調湿装置、１０…冷媒回路、１１…第１熱交換器、１２…第２熱交換器、１３…圧縮機、１４…電子膨張弁、１５…四路切換弁、１６…アキュムレータ、１７…第１冷媒経路、１８…第２冷媒経路、２０…通気切換装置、２１…室内空気切換装置、２２…室外空気切換装置、２３…供給空気切換装置、２４…排出空気切換装置、３０…制御装置、３１…第１温度センサ、３２…第２温度センサ、３３…第１湿度センサ、３４…第２湿度センサ、４０…筐体、４１…前面壁、４２…後面壁、４３…左側壁、４４…右側壁、４５…第１仕切壁、４６…第２仕切壁、４７…第３仕切壁、４８…第４仕切壁、４９…第５仕切壁、５０…第６仕切壁、５０Ａ…第７仕切壁、５０Ｂ…第８仕切壁、５１…第１前室、５２…第２前室、５３…第１熱交換室、５４…第２熱交換室、５５…第１後室、５６…第２後室、５７…室内吸気口、５８…室外吸気口、５９…供給口、６０…排出口、７１…第１前方開閉機構、７２…第２前方開閉機構、７３…第３前方開閉機構、７４…第４前方開閉機構、８１…第１後方開閉機構、８２…第２後方開閉機構、８３…第３後方開閉機構、８４…第４後方開閉機構、９１…供給ファン、９２…排出ファン。
【要約】
【課題】調湿装置の始動時に生じる液冷媒戻りを抑制することができる調湿装置を提供する。
【解決手段】調湿装置の始動時に、室外空気温度Ｔｏと室内空気温度Ｔｒとを比較し、いずれの空気の温度が高いかを判定する。通気切換装置により室外空気の流れおよび室内空気の流れを互いに換えることにより、室外空気および室内空気のうち温度の高い空気を蒸発器として作用する熱交換器に流通させる。
【選択図】図９【図１】
0005126443.tif 000002
【図２】
0005126443.tif 000003
【図３】
0005126443.tif 000004
【図４】
0005126443.tif 000005
【図５】
0005126443.tif 000006
【図６】
0005126443.tif 000007
【図７】
0005126443.tif 000008
【図８】
0005126443.tif 000009
【図９】
0005126443.tif 000010